(57)【要約】【課題】肩乗り上げが発生しなくて軸受寿命が長い４点接触玉軸受を提供すること。【解決手段】内輪１および外輪２の軌道面１１，１２のセンターを含む平面Ａに対して玉３の肩乗り上げが発生し易いモーメント荷重Ｂがかかる側と反対側の外輪２の肩部１７の肉厚を、モーメント荷重がかかる側の肩部１８の肉厚よりも厚くする。これにより、玉３の肩乗り上げを防止できる。また、肉厚が厚い肩部１７側と反対側の距離が大きい内輪１の肩部１６と外輪２の肩部１８の間に、冠型保持器５の環状部２５を配置する。【選択図】  図１
2004293705.tif 000002
【特許請求の範囲】
【請求項１】
外輪と、内輪と、上記外輪の軌道面と上記内輪の軌道面との間に配置された玉とを備えた４点接触玉軸受において、
上記外輪または内輪において、上記軌道面の一方の側の肩部の径と他方の側の肩部の径とが異なって、一方の側の上記外輪および内輪の肩部同士の間の距離が、他方の側の上記外輪および内輪の肩部同士の間の距離よりも大きく、上記一方の側の上記肩部と上記肩部との間に、上記玉を保持する冠形保持器の環状部を配置したことを特徴とする４点接触玉軸受。
【発明の詳細な説明】
【０００１】
【発明の属する技術分野】
本発明は、４点接触玉軸受に関する。
【０００２】
【従来の技術】
従来、４点接触玉軸受としては、特開２００１−３０４２７３号公報（特許文献１）に示されたものがある。この４点接触玉軸受は、外輪の軌道面と、内輪の軌道面との間に、保持器によって保持された玉を、周方向に一定の間隔に複数個配置している。上記４点接触玉軸受は、上記外輪および内輪の夫々の軌道面における軌道面のセンターに対する左側の軌道面の曲率中心と右側の軌道面の曲率中心とを変えて、外輪および内輪の軌道面と玉との接触角を０°よりも大きな角度にし、オフセット荷重を受けることができるようになっている。
【０００３】
【特許文献１】
特開２００１−３０４２７３
【０００４】
【発明が解決しようとする課題】
しかしながら、上記従来の４点接触玉軸受では、オフセット荷重が大きくなると、玉が内輪または外輪の軌道面の片側の肩部へ乗り上げる肩乗り上げが起こって、軸受寿命が低下するという問題がある。
【０００５】
また、内外輪の肩部間の距離を接近させる、つまり、軌道溝の底から肩部までの距離を大きくとると、保持器収容空間が狭くなり、それが為、保持器強度が低下すると共に、潤滑剤の封入量も低下してしまうことが懸念される。
【０００６】
そこで、本発明の目的は、肩乗り上げが発生しなくて軸受寿命が長い４点接触玉軸受を提供することにある。
【０００７】
【課題を解決するための手段】
上記目的を達成するため、請求項１の発明の４点接触玉軸受は、外輪と、内輪と、上記外輪の軌道面と上記内輪の軌道面との間に配置された玉とを備えた４点接触玉軸受において、
上記外輪または内輪において、上記軌道面の一方の側の肩部の径と他方の側の肩部の径とが異なって、一方の側の上記外輪および内輪の肩部同士の間の距離が、他方の側の上記外輪および内輪の肩部同士の間の距離よりも大きく、上記一方の側の上記肩部と上記肩部との間に、上記玉を保持する冠形保持器の環状部を配置したことを特徴としている。
【０００８】
上記請求項１の発明の４点接触玉軸受において、オフセット荷重によって玉の肩乗り上げが起こり易い内輪または外輪の肩部の肉厚を、軌道面に対して反対側の肩部の肉厚よりも大きくするようにして、上記軌道面の一方の側の肩部の径と他方の側の肩部の径とを異なった径にする。このことにより、玉の肩乗り上げを効果的に防止できて、４点接触玉軸受の軸受寿命を延ばすことができる。
【０００９】
また、上記請求項１の発明の４点接触玉軸受によれば、上記軌道面の一方の側の肩部の径と他方の側の肩部の径とを異なる値にして、上記外輪および内輪の肩部同士の間の距離が大きい上記一方の側の上記外輪の肩部と内輪の肩部との間に、上記玉を保持する冠形保持器の環状部を配置したので、冠形保持器の環状部の径方向の肉厚を十分に確保することができて、冠形保持器の強度が低下することがない。
【００１０】
また、上記請求項１の発明の４点接触玉軸受によれば、外輪または内輪の肉厚が大きい肩部側の端面の面積が大きくなるので、この外輪または内輪の面積が大きい端面と、この端面に接触するハウジング等の部材との間に生じる接触面圧が小さくなって、上記端面と接触する上記ハウジング等の部材にクリープが発生することがない。
【００１１】
【発明の実施の形態】
以下、本発明を図示の実施の形態により詳細に説明する。
【００１２】
（第１実施形態）
図１は、この発明の第１実施形態の４点接触玉軸受の軸方向の断面図である。
【００１３】
この４点接触玉軸受は、内輪１の軌道面１１と外輪２の軌道面１２の間に、冠形保持器５によって保持された複数の玉３を、周方向に所定の間隔を隔てて配置している。この４点接触玉軸受は、ラジアル荷重と、図１に矢印Ｂで示されるオフセットなモーメント荷重を受ける。
【００１４】
上記内輪１および外輪２の軌道面１１，１２のセンターを含む平面Ａに対してモーメント荷重がかかる側と反対側の内輪１の肩部１５の肉厚は、上記モーメント荷重がかかる側の内輪１の肩部１６の肉厚と等しくなっている一方、平面Ａに対して上記モーメント荷重がかかる側と反対側の外輪２の肩部１７の肉厚は、上記モーメント荷重がかかる側の外輪２の肩部１８の肉厚よりも厚くなっている。また、上記外輪２の肉厚が厚い肩部１７側の端面２０の面積は、肉厚が薄い肩部１８側の端面２１の面積よりも大きくなっており、肉厚が厚い肩部１７側における外輪２と図示しない例えば、アルミダイキャスト等からなるハウジング等の部材との接触面積は、肉厚が薄い肩部１８側における外輪２と図示しないハウジング等の部材との接触面積よりも大きくなっている。
【００１５】
上記冠形保持器５の環状部２５の径方向の肉厚は、平面Ａに対してモーメント荷重がかかる側と反対側の内輪１の肩部１５と外輪２の肩部１７（肩部径：Ｒ０）との距離よりも大きくなっていて、冠形保持器５の環状部２５は、平面Ａに対してモーメント荷重が想定される側である内輪１の肩部１６と外輪２の肩部１８（肩部径：Ｒ２）との間に配置されている。上記内輪１の肩部１６と外輪２の肩部１８との距離が大きいので、この肩部１６，１８の間に冠型保持器５の環状部２５（外径：Ｒ１）を配置できるのである。また、肩部１７、肩部１８及び保持器環状部２５の外径の関係は、Ｒ０＜Ｒ１＜Ｒ２である。
【００１６】
上記４点接触玉軸受の軸方向の両端部には、シール部材６，８が配置されている。このシール部材６，８の一端部は、外輪２の内周面の両端部に形成された窪みに固定されており、シール部材６，８の他端部にあるシールリップ７，９は、内輪１の外周面の両端部に形成された窪みに摺接している。上記シール部材６，８は、内輪１および外輪２の軌道面１１，１２や玉３を外部に対してシールしている。
【００１７】
上記第１実施形態の４点接触玉軸受によれば、平面Ａに対してモーメント荷重がかかる側と反対側の玉の肩乗り上げが起こり易い肩部である外輪の肩部１７の肉厚を、肩乗り上げが起こりにくいモーメント荷重がかかる側の肩部１８の肉厚よりも厚くしたので、玉の肩乗り上げを効果的に防止できる。したがって、４点接触玉軸受の軸受寿命を延ばすことができる。
【００１８】
また、上記第１実施形態の４点接触玉軸受によれば、冠形保持器５の環状部２５を、距離が大きい内輪１の肩部１６と外輪２の肩部１８との間に配置したので、冠形保持器５の環状部２５の径方向の肉厚を十分に確保することができて、冠形保持器５の強度が低下することがない。
【００１９】
また、上記実施形態の４点接触玉軸受によれば、外輪２の肉厚が厚い肩部１７側の端面２０の面積が、両側の肩部の肉厚を同じにした場合よりも大きくなるので、この外輪２の面積が大きい端面２０と、この端面２０に接触する図示しないハウジング等の部材との間に生じる接触面圧が小さくなって、上記端面２０と接触するハウジング等の部材にクリープが発生することがない。
【００２０】
（第２実施形態）
図２は、この発明の第２実施形態の４点接触玉軸受の軸方向の断面図である。
【００２１】
上記第２実施形態の４点接触玉軸受では、第１実施形態の４点接触玉軸受の構成部と同一構成部には同一参照番号を付して詳しい説明を省略する。
【００２２】
第２実施形態の４点接触玉軸受は、ラジアル荷重と、図２に矢印Ｆで示されるオフセットなモーメント荷重を受け、内輪４１と外輪４２のセンターを含む平面Ｅに対して冠形保持器５の環状部２５が配置されている側と反対側の外輪４２の肩部６７の肉厚を、平面Ｅに対して冠形保持器５の環状部２５が配置されている側の外輪４２の肩部６８の肉厚と等しくする一方、肩乗り上げが発生し易い肩部である平面Ｅに対して冠形保持器５の環状部２５が配置されている側と反対側の内輪４１の肩部６５の肉厚を、平面Ｅに対して冠形保持器５の環状部２５が配置されている側の内輪４１の肩部６６の肉厚よりも厚くしている。また、上記冠形保持器５の環状部２５を、肉厚が薄い内輪４１の肩部６６と外輪４２の肩部６８との間に配置している。また、上記内輪４１の肉厚が厚い肩部６５側の端面５０の面積を、内輪４１の反対側の端面５１の面積よりも大きくしている。
【００２３】
上記第２実施形態の４点接触玉軸受によれば、玉３の肩乗り上げが発生し易い肩部６５の肉厚を厚くしたので、玉３の肩乗り上げを防止でき、４点接触玉軸受の軸受寿命を延ばすことができる。
【００２４】
また、上記第２実施形態の４点接触玉軸受によれば、冠形保持器５の環状部２５を、平面Ｅに対してモーメント荷重Ｆがかからない側、すなわち、距離が大きい内輪４１の肩部６６と外輪４２の肩部６８との間に配置したので、冠形保持器５の環状部２５の肉厚を十分に確保できて、冠形保持器５の強度が低下することがない。
【００２５】
また、上記第２実施形態の４点接触玉軸受によれば、内輪４１の肉厚の大きい肩部６５側の端面５０の面積を大きくしているので、この面積が大きい内輪４１の端面５０と、この端面５０に接触する図示しないハウジング等の部材との間に生じる接触面圧が小さくなって、上記端面５０と接触する上記ハウジング等の部材にクリープが発生することがない。
【００２６】
【発明の効果】
以上より明らかなように、請求項１の発明の４点接触玉軸受によれば、オフセット荷重によって玉の肩乗り上げが起こり易い内輪または外輪の肩部の肉厚を、反対側の肩部の肉厚よりも大きくしているので、玉の肩乗り上げを効果的に防止できて、４点接触玉軸受の軸受寿命を延ばすことができる。
【００２７】
また、請求項１の発明の４点接触玉軸受によれば、外輪および内輪の肩部同士の間の距離が大きい側の外輪の肩部と内輪の肩部との間に、玉を保持する冠形保持器の環状部を配置しているので、冠形保持器の環状部の径方向の肉厚を十分に確保できて、冠形保持器の強度が低下することがない。
【００２８】
また、請求項１の発明の４点接触玉軸受によれば、外輪または内輪の肉厚が大きい肩部側の端面の面積が大きくなるので、この外輪または内輪の面積が大きい端面と、この端面に接触するハウジング等の部材との間に生じる接触面圧が小さくなって、上記端面と接触するハウジング等の部材にクリープが発生することがない。
【図面の簡単な説明】
【図１】本発明の第１実施形態の４点接触玉軸受の軸方向の断面図である。
【図２】本発明の第２実施形態の４点接触玉軸受の軸方向の断面図である。
【符号の説明】
１，４１  内輪
２，４２  外輪
３  玉
５  冠形保持器
１１，６１  内輪の軌道面
１２，６２  外輪の軌道面
１５，１６，１７，１８，６５，６６，６７，６８  肩部
２０，２１，５０，５１  端面
２５  環状部
【図１】
2004293705.tif 000003
【図２】
2004293705.tif 000004